(57)【要約】【課題】被検体の体表面近くにある放射性感受性の高い部位のＸ線被曝量を低減する。【解決手段】被検体の体表面近くにある放射性感受性の高い部位とＸ線焦点間の距離が近くなるガントリ角度０≦θ≦βｕおよびπ−βｕ≦θ＜２πでは、Ｘ線照射出力を小さくする。Ｘ線照射出力を小さくしたガントリ角度０≦θ≦βｕおよびπ−βｕ≦θ＜２πに対向するガントリ角度π−βｕ≦θ≦π＋βｕでは、Ｘ線照射出力を大きくする。それらの間のガントリ角度βｕ＜θ＜π−βｕおよびπ＋βｕ＜θ＜π−βｕでは、Ｘ線照射出力を中くらいにする。そして、投影データに対して当該投影データを得た時のＸ線照射出力に応じた重み付けを施して画像再構成を行う。【選択図】  図７
2004321587.tif 000002
【特許請求の範囲】
【請求項１】
被検体の体表面近くにある放射性感受性の高い部位とＸ線焦点間の距離の遠近に応じてガントリ角度を少なくとも２種類の角度範囲に区分し、前記距離が近い種類の角度範囲に含まれるガントリ角度でのＸ線照射出力を、前記距離が遠い種類の角度範囲に含まれるガントリ角度でのＸ線照射出力より小さくして投影データを収集することを特徴とするＸ線ＣＴ画像撮影方法。
【請求項２】
請求項１に記載のＸ線ＣＴ画像撮影方法において、前記距離が近い第１の種類の角度範囲と、前記第１の種類の角度範囲と対向する第２の種類の角度範囲と、前記第１の種類の角度範囲と前記第２の種類の角度範囲の間にある第３の種類の角度範囲との３つの種類の角度範囲に区分し、前記第１の種類の角度範囲に含まれるガントリ角度でのＸ線照射出力を第１のＸ線照射出力とし、前記第２の種類の角度範囲に含まれるガントリ角度でのＸ線照射出力を第２のＸ線照射出力とし、前記第３の種類の角度範囲に含まれるガントリ角度でのＸ線照射出力を第３のＸ線照射出力とするとき、第１のＸ線照射出力＜第３のＸ線照射出力＜第２のＸ線照射出力とすることを特徴とするＸ線ＣＴ画像撮影方法。
【請求項３】
請求項２に記載のＸ線ＣＴ画像撮影方法において、前記第１のＸ線照射出力は前記第１の種類の角度範囲の中央で最も小さく且つ両端で前記第３のＸ線照射出力につながるように実質的に段差なく変化し、前記第２のＸ線照射出力は前記第２の種類の角度範囲の中央で最も大きく且つ両端で前記第３のＸ線照射出力につながるように実質的に段差なく変化し、前記第３のＸ線照射出力は前記第３の種類の角度範囲で一定であることを特徴とするＸ線ＣＴ画像撮影方法。
【請求項４】
請求項１から請求項３のいずれかに記載のＸ線ＣＴ画像撮影方法において、前記投影データに対して当該投影データを得た時のＸ線照射出力に応じた重み付けを施して画像再構成を行うことを特徴とするＸ線ＣＴ画像撮影方法。
【請求項５】
請求項１から請求項４のいずれかに記載のＸ線ＣＴ画像撮影方法において、前記放射性感受性の高い部位は、眼球または乳房であることを特徴とするＸ線ＣＴ画像撮影方法。
【請求項６】
Ｘ線源と、検出器と、Ｘ線源を被検体の周りに回転しながら多数のガントリ角度で投影データを収集するスキャン手段と、ガントリ角度を少なくとも２種類の角度範囲に区分したときに第１の種類の角度範囲に含まれるガントリ角度でのＸ線照射出力を第２の種類の角度範囲に含まれるガントリ角度でのＸ線照射出力より小さくするＸ線照射出力制御手段と、収集した投影データを基にＣＴ画像を生成する画像再構成手段とを具備したことを特徴とするＸ線ＣＴ装置。
【請求項７】
請求項６に記載のＸ線ＣＴ装置において、前記Ｘ線照射出力制御手段は、第１の種類の角度範囲と前記第１の種類の角度範囲に対向する第２の種類の角度範囲と前記第１の種類の角度範囲と前記第２の種類の角度範囲の間にある第３の種類の角度範囲との３種類の角度範囲に区分し、前記第１の種類の角度範囲に含まれるガントリ角度でのＸ線照射出力を第１のＸ線照射出力とし、前記第２の種類の角度範囲に含まれるガントリ角度でのＸ線照射出力を第２のＸ線照射出力とし、前記第３の種類の角度範囲に含まれるガントリ角度でのＸ線照射出力を第３のＸ線照射出力とするとき、第１のＸ線照射出力＜第３のＸ線照射出力＜第２のＸ線照射出力とすることを特徴とするＸ線ＣＴ装置。
【請求項８】
請求項７に記載のＸ線ＣＴ装置において、前記第１のＸ線照射出力は前記第１の種類の角度範囲の中央で最も小さく且つ両端で前記第３のＸ線照射出力につながるように実質的に段差なく変化し、前記第２のＸ線照射出力は前記第２の種類の角度範囲の中央で最も大きく且つ両端で前記第３のＸ線照射出力につながるように実質的に段差なく変化し、前記第３のＸ線照射出力は前記第３の種類の角度範囲で一定であることを特徴とするＸ線ＣＴ装置。
【請求項９】
請求項６から請求項８のいずれかに記載のＸ線ＣＴ装置において、前記収集した投影データに対して当該投影データを得た時のＸ線照射出力に応じた重み付けを施して前記画像再構成手段に渡す重み付け手段を具備したことを特徴とするＸ線ＣＴ装置。
【発明の詳細な説明】
【０００１】
【発明の属する技術分野】
本発明は、Ｘ線ＣＴ（Ｃｏｍｐｕｔｅｄ  Ｔｏｍｏｇｒａｐｈｙ）画像撮影方法およびＸ線ＣＴ装置に関し、更に詳しくは、被検体の体表面近くにある放射性感受性の高い部位のＸ線被曝量を低減することが出来るＸ線ＣＴ画像撮影方法およびＸ線ＣＴ装置に関する。
【０００２】
【従来の技術】
従来、関心領域へのＸ線の照射を抑制するチャネルコリメータあるいは減弱体を具備したＸ線ＣＴ装置が知られている（例えば、特許文献１参照。）。
【０００３】
【特許文献１】
特開平１１−２８２０１号公報
【０００４】
【発明が解決しようとする課題】
上記従来のＸ線ＣＴ装置によれば、チャネルコリメータあるいは減弱体を用いて、例えば眼球のＸ線被曝量を低減することが出来る。
しかし、チャネルコリメータあるいは減弱体およびそれを出し入れする制御手段が必要となり、構成が複雑になる問題点がある。
そこで、本発明の目的は、簡単な構成で、被検体の体表面近くにある放射性感受性の高い部位のＸ線被曝量を低減することが出来るＸ線ＣＴ画像撮影方法およびＸ線ＣＴ装置を提供することにある。
【０００５】
【課題を解決するための手段】
第１の観点では、本発明は、被検体の体表面近くにある放射性感受性の高い部位とＸ線焦点間の距離の遠近に応じてガントリ角度を少なくとも２種類の角度範囲に区分し、前記距離が近い種類の角度範囲に含まれるガントリ角度でのＸ線照射出力を、前記距離が遠い種類の角度範囲に含まれるガントリ角度でのＸ線照射出力より小さくして投影データを収集することを特徴とするＸ線ＣＴ画像撮影方法を提供する。
上記第１の観点によるＸ線ＣＴ画像撮影方法では、被検体の体表面近くにある放射性感受性の高い部位とＸ線焦点間の距離が近くなるガントリ角度では、Ｘ線照射出力を小さくするので、被検体の体表面近くにある放射性感受性の高い部位のＸ線被曝量を低減することが出来る。そして、Ｘ線照射出力を小さくするには、管電流を下げればよいため、チャネルコリメータあるいは減弱体およびそれを出し入れする制御手段が必要なく、構成が簡単で済む。
【０００６】
第２の観点では、本発明は、上記構成のＸ線ＣＴ画像撮影方法において、前記距離が近い第１の種類の角度範囲と、前記第１の種類の角度範囲と対向する第２の種類の角度範囲と、前記第１の種類の角度範囲と前記第２の種類の角度範囲の間にある第３の種類の角度範囲との３つの種類の角度範囲に区分し、前記第１の種類の角度範囲に含まれるガントリ角度でのＸ線照射出力を第１のＸ線照射出力とし、前記第２の種類の角度範囲に含まれるガントリ角度でのＸ線照射出力を第２のＸ線照射出力とし、前記第３の種類の角度範囲に含まれるガントリ角度でのＸ線照射出力を第３のＸ線照射出力とするとき、第１のＸ線照射出力＜第３のＸ線照射出力＜第２のＸ線照射出力とすることを特徴とするＸ線ＣＴ画像撮影方法を提供する。
上記第２の観点によるＸ線ＣＴ画像撮影方法では、被検体の体表面近くにある放射性感受性の高い部位とＸ線焦点間の距離が近くなるガントリ角度では、Ｘ線照射出力を小さくするので、被検体の体表面近くにある放射性感受性の高い部位のＸ線被曝量を低減することが出来る。また、それと対向するガントリ角度では、Ｘ線照射出力を大きくするので、先にＸ線照射出力を小さくしたことによる画質への影響を補償でき、画質の低下を抑制することが出来る。
なお、ファンビームの場合、あるガントリ角度に対向するガントリ角度として、ファンビームの中心線が１８０゜異なるガントリ角度を簡易に用いてもよい。
【０００７】
第３の観点では、本発明は、上記構成のＸ線ＣＴ画像撮影方法において、前記第１のＸ線照射出力は前記第１の種類の角度範囲の中央で最も小さく且つ両端で前記第３のＸ線照射出力につながるように実質的に段差なく変化し、前記第２のＸ線照射出力は前記第２の種類の角度範囲の中央で最も大きく且つ両端で前記第３のＸ線照射出力につながるように実質的に段差なく変化し、前記第３のＸ線照射出力は前記第３の種類の角度範囲で一定であることを特徴とするＸ線ＣＴ画像撮影方法を提供する。
上記第３の観点によるＸ線ＣＴ画像撮影方法では、Ｘ線照射出力が実質的に段差なく変化するので、Ｘ線照射出力が変化することに起因する画質の低下を抑制することが出来る。
【０００８】
第４の観点では、本発明は、上記構成のＸ線ＣＴ画像撮影方法において、前記投影データに対して当該投影データを得た時のＸ線照射出力に応じた重み付けを施して画像再構成を行うことを特徴とするＸ線ＣＴ画像撮影方法を提供する。
上記第４の観点によるＸ線ＣＴ画像撮影方法では、小さいＸ線照射出力で得た投影データに対しては小さな重みを付け、大きいＸ線照射出力で得た投影データに対しては大きな重みを付けることで、信号対雑音特性を改善し、画質の低下を抑制することが出来る。
【０００９】
第５の観点では、本発明は、上記構成のＸ線ＣＴ画像撮影方法において、前記放射性感受性の高い部位は、眼球または乳房であることを特徴とするＸ線ＣＴ画像撮影方法を提供する。
上記第５の観点によるＸ線ＣＴ画像撮影方法では、眼球または乳房のＸ線被曝量を低減することが出来る。
【００１０】
第６の観点では、本発明は、Ｘ線源と、検出器と、Ｘ線源を被検体の周りに回転しながら多数のガントリ角度で投影データを収集するスキャン手段と、ガントリ角度を少なくとも２種類の角度範囲に区分したときに第１の種類の角度範囲に含まれるガントリ角度でのＸ線照射出力を第２の種類の角度範囲に含まれるガントリ角度でのＸ線照射出力より小さくするＸ線照射出力制御手段と、収集した投影データを基にＣＴ画像を生成する画像再構成手段とを具備したことを特徴とするＸ線ＣＴ装置を提供する。
上記第６の観点によるＸ線ＣＴ装置では、前記第１の観点によるＸ線ＣＴ画像撮影方法を好適に実施できる。
【００１１】
第７の観点では、本発明は、上記構成のＸ線ＣＴ装置において、前記Ｘ線照射出力制御手段は、第１の種類の角度範囲と前記第１の種類の角度範囲に対向する第２の種類の角度範囲と前記第１の種類の角度範囲と前記第２の種類の角度範囲の間にある第３の種類の角度範囲との３種類の角度範囲に区分し、前記第１の種類の角度範囲に含まれるガントリ角度でのＸ線照射出力を第１のＸ線照射出力とし、前記第２の種類の角度範囲に含まれるガントリ角度でのＸ線照射出力を第２のＸ線照射出力とし、前記第３の種類の角度範囲に含まれるガントリ角度でのＸ線照射出力を第３のＸ線照射出力とするとき、第１のＸ線照射出力＜第３のＸ線照射出力＜第２のＸ線照射出力とすることを特徴とするＸ線ＣＴ装置を提供する。
上記第７の観点によるＸ線ＣＴ装置では、前記第２の観点によるＸ線ＣＴ画像撮影方法を好適に実施できる。
【００１２】
第８の観点では、本発明は、上記構成のＸ線ＣＴ装置において、前記第１のＸ線照射出力は前記第１の種類の角度範囲の中央で最も小さく且つ両端で前記第３のＸ線照射出力につながるように実質的に段差なく変化し、前記第２のＸ線照射出力は前記第２の種類の角度範囲の中央で最も大きく且つ両端で前記第３のＸ線照射出力につながるように実質的に段差なく変化し、前記第３のＸ線照射出力は前記第３の種類の角度範囲で一定であることを特徴とするＸ線ＣＴ装置を提供する。
上記第８の観点によるＸ線ＣＴ装置では、前記第３の観点によるＸ線ＣＴ画像撮影方法を好適に実施できる。
【００１３】
第９の観点では、本発明は、上記構成のＸ線ＣＴ装置において、前記収集した投影データに対して当該投影データを得た時のＸ線照射出力に応じた重み付けを施して前記画像再構成手段に渡す重み付け手段を具備したことを特徴とするＸ線ＣＴ装置を提供する。
上記第９の観点によるＸ線ＣＴ装置では、前記第４の観点によるＸ線ＣＴ画像撮影方法を好適に実施できる。
【００１４】
【発明の実施の形態】
以下、図に示す実施の形態により本発明をさらに詳細に説明する。なお、これにより本発明が限定されるものではない。
【００１５】
−第１の実施形態−
図１は、第１の実施形態にかかるＸ線ＣＴ装置１００を示す構成ブロック図である。
このＸ線ＣＴ装置１００は、操作コンソール１と、テーブル装置１０と、走査ガントリ２０とを具備している。
【００１６】
操作コンソール１は、操作者の入力を受け付ける入力装置２と、画像生成処理などを実行する中央処理装置３と、走査ガントリ２０で取得した投影データを収集する投影データ収集バッファ５と、投影データから再構成したＣＴ画像を表示するＣＲＴ６と、プログラムや投影データやＣＴ画像を記憶する記憶装置７とを具備している。
【００１７】
テーブル装置１０は、被検体を乗せて走査ガントリ２０のボア（空洞部）に入れ出しするクレードル１２を具備している。クレードル１２は、テーブル装置１０に内蔵するモータで駆動される。
【００１８】
走査ガントリ２０は、Ｘ線管２１と、Ｘ線コントローラ２２と、コリメータ２３と、検出器２４と、ＤＡＳ（Ｄａｔａ  Ａｃｑｕｉｓｉｔｉｏｎ  Ｓｙｓｔｅｍ）２５と、被検体の体軸の回りにＸ線管２１などを回転させる回転コントローラ２６と、制御信号などを操作コンソール１やテーブル装置１０とやり取りする制御インタフェース２９とを具備している。
【００１９】
図２は、ガントリ角度θとＸ線ビームの投射角度φの関係を示す説明図である。
ガントリ角度θは、回転中心Ｏの周りに回転するＸ線管２１の回転角度である。ここでは、ファンビームＦの中心線が鉛直下向きになる時のガントリ角度をθ＝０とする。
Ｘ線ビームの投射角度φは、検出器２４の各チャネルに入射するＸ線ビームの角度である。ここでは、Ｘ線ビームが鉛直下向きになる時の投射角度をφ＝０とする。
ファン角度を２γｍとするとき、検出器２４の中心チャネル（チャネル番号ｉ＝０）に入射するＸ線ビームの投射角度はφ＝θであり、検出器２４の両端チャネル（チャネル番号ｉ＝ｍ，−ｍ）に入射するＸ線ビームの投射角度はφ＝θ＋γｍ，φ＝θ−γｍとなる。
【００２０】
図３は、Ｘ線ＣＴ装置１００によるＸ線ＣＴ画像撮影処理の動作を示すフロー図である。
ステップＳ１では、操作者は、入力装置２を操作して、「被曝低減モード」か「通常モード」かを選択する。
ステップＳ２では、選択されたモードが「被曝低減モード」であるときはステップＳ３へ進み、選択されたモードが「通常モード」であるときはステップＳ６へ進む。
【００２１】
ステップＳ３では、被曝低減Ｘ線照射によるスキャンを行って投影データを収集する。この被曝低減Ｘ線照射を、図４〜図７を参照して次に説明する。
図４，図５に示すように、体表面近くにある放射性感受性の高い部位である被検体Ｈの左眼球ＥＬおよび右眼球ＥＲを含む保護部位Ｐを想定する。また、被検体Ｈを仰臥位でスキャンするものと想定する。また、Ｘ線管２１と保護部位中心Ｐｃの距離Ｌ（θ１），Ｌ（θ２）により、Ｘ線焦点と左眼球ＥＬおよび右眼球ＥＲの距離を簡易に表すものとする。
図４と図５を比較すれば判るように、θ＝０の近傍のガントリ角度θ１での距離Ｌ（θ１）は、θ＝πの近傍のガントリ角度θ２での距離Ｌ（θ２）より小さい。また、θ＝０の近傍のガントリ角度θ１ではＸ線ビームがほとんど減衰せずに保護部位Ｐに当たるが、θ＝πの近傍のガントリ角度θ２ではＸ線ビームがかなり減衰してから保護部位Ｐに当たる。
そこで、図６に示すように、θ＝０の近傍の角度範囲−βｕ≦θ≦βｕを第１の種類の角度範囲Ｒ１とし、θ＝πの近傍の角度範囲π−βｕ≦θ≦π＋βｕを第２の種類の角度範囲Ｒ２とし、第１の種類の角度範囲Ｒ１と第２の種類の角度範囲Ｒ２の間にある角度範囲を第３の種類の角度範囲Ｒ３とする。
【００２２】
そして、図７に示すように、第１の種類の角度範囲Ｒ１に含まれるガントリ角度０≦θ≦βｕおよびπ−βｕ≦θ＜２πでの第１のＸ線照射出力を、第１の種類の角度範囲Ｒ１の中央すなわちθ＝０で最も小さく且つ両端すなわちθ＝βｕおよびθ＝π−βｕで第３の種類の角度範囲Ｒ３に含まれるガントリ角度βｕ＜θ＜π−βｕおよびπ＋βｕ＜θ＜π−βｕでの第３のＸ線照射出力につながるように実質的に段差なく変化させる（ここでは線形に変化させているが、非線形に変化させてもよい）。また、第２の種類の角度範囲Ｒ２に含まれるガントリ角度π−βｕ≦θ≦π＋βｕでの第２のＸ線照射出力を、第２の種類の角度範囲Ｒ２の中央すなわちθ＝πで最も大きく且つ両端すなわちθ＝π−βｕおよびθ＝π＋βｕで第３の種類の角度範囲Ｒ３に含まれるガントリ角度βｕ＜θ＜π−βｕおよびπ＋βｕ＜θ＜π−βｕでの第３のＸ線照射出力につながるように実質的に段差なく変化させる（第１のＸ線照射出力でＸ線照射出力を小さくしたことを補償するように変化させる）。また、第３の種類の角度範囲Ｒ３に含まれるガントリ角度βｕ＜θ＜π−βｕおよびπ＋βｕ＜θ＜２π−βｕでの第３のＸ線照射出力は、一定とする。
【００２３】
図３に戻り、ステップＳ４では、投影データに対して、前処理（オフセット補正，対数補正，Ｘ線線量補正，感度補正）を行う。
【００２４】
ステップＳ５では、図８に示すように、投影データに対して当該投影データを得た時のＸ線照射出力に応じた重みを付ける重み付け処理を行う。そして、ステップＳ８へ進む。
【００２５】
ステップＳ６では、通常のＸ線照射によるスキャンを行って投影データを収集する。つまり、図９に示すように、Ｘ線照射出力をガントリ角度θに関係なく一定にして投影データを収集する。
ステップＳ７では、投影データに対して、前処理（オフセット補正，対数補正，Ｘ線線量補正，感度補正）を行う。そして、ステップＳ８へ進む。
【００２６】
ステップＳ８では、投影データに対して画像再構成処理を行い、ＣＴ画像を生成する。
ステップＳ９では、表示に適するようにＣＴ画像に後処理を施す。
ステップＳ１０では、ＣＴ画像をＣＲＴ６に表示する。
【００２７】
第１の実施形態のＸ線ＣＴ装置１００によれば、眼球ＥＬ，ＥＲとＸ線焦点間の距離が近くなるガントリ角度ではＸ線照射出力を小さくするので、眼球ＥＬ，ＥＲのＸ線被曝量を低減することが出来る。そして、Ｘ線照射出力を小さくするには、管電流を下げればよいため、チャネルコリメータあるいは減弱体およびそれを出し入れする制御手段が必要なく、構成が簡単で済む。
また、小さいＸ線照射出力で得た投影データに対しては小さな重みを付け、大きいＸ線照射出力で得た投影データに対しては大きな重みを付けることで、信号対雑音特性を改善し、画質の低下を抑制することが出来る。
【００２８】
−第２の実施形態−
第２の実施形態では、図１０に示すように、θ＝０の近傍の角度範囲−βｕ≦θ≦βｕを第１の種類の角度範囲Ｒ１とし、θ＝πの近傍の角度範囲π−βｕ−２γｍ≦θ≦π＋βｕ＋２γｍを第２の種類の角度範囲Ｒ２とし、第１の種類の角度範囲Ｒ１と第２の種類の角度範囲Ｒ２の間にある角度範囲を第３の種類の角度範囲Ｒ３とする。
【００２９】
そして、図１１に示すように、第１の種類の角度範囲Ｒ１に含まれるガントリ角度０≦θ≦βｕおよびπ−βｕ≦θ＜２πでの第１のＸ線照射出力は「小」にし、第２の種類の角度範囲Ｒ２に含まれるガントリ角度π−βｕ−２γｍ≦θ≦π＋βｕ＋２γｍでの第２のＸ線照射出力は「大」にし、第３の種類の角度範囲Ｒ３に含まれるガントリ角度βｕ＜θ＜π−βｕ−２γｍおよびπ＋βｕ＋２γｍ＜θ＜２π−βｕでの第３のＸ線照射出力は「中」にする。
【００３０】
また、図１２に示すように、投影データに対して当該投影データを得た時のＸ線照射出力に応じた重みを付けて、画像再構成処理を行う。
【００３１】
第２の実施形態のＸ線ＣＴ装置によれば、検出器２４の各チャネルごとに、Ｘ線照射出力が「小」の投影データに対してＸ線照射出力が「大」の対向ビューの投影データを得ることが出来るから、Ｘ線照射出力を小さくしたことに起因する画質への影響をより高度に補償できる。
【００３２】
−他の実施形態−
上記と同様にして例えば乳房へのＸ線被曝量を低減することが出来る。
【００３３】
【発明の効果】
本発明のＸ線ＣＴ画像撮影方法およびＸ線ＣＴ装置によれば、眼球や乳房など、被検体の体表面近くの放射線感受性の高い部位へのＸ線被曝量を低減することが出来る。
【図面の簡単な説明】
【図１】第１の実施形態にかかるＸ線ＣＴ装置を示す構成ブロック図である。
【図２】ガントリ角度θとＸ線ビームの投射角度φの関係を示す説明図である。
【図３】第１の実施形態にかかるＸ線ＣＴ装置によるＸ線ＣＴ画像撮影処理の動作を示すフロー図である。
【図４】θ＝０の近傍のガントリ角度でのＸ線管と眼球の距離を示す説明図である。
【図５】θ＝πの近傍のガントリ角度でのＸ線管と眼球の距離を示す説明図である。
【図６】第１の実施形態にかかるガントリ角度の角度範囲の区分を示す説明図である。
【図７】第１の実施形態にかかる被曝低減Ｘ線照射モードにおけるガントリ角度とＸ線照射出力の関係を示すグラフである。
【図８】第１の実施形態にかかる被曝低減Ｘ線照射モードにおけるガントリ角度と重みの関係を示すグラフである。
【図９】通常モードにおけるガントリ角度とＸ線照射出力の関係を示すグラフである。
【図１０】第２の実施形態にかかるガントリ角度の角度範囲の区分を示す説明図である。
【図１１】第２の実施形態にかかる被曝低減Ｘ線照射モードにおけるガントリ角度とＸ線照射出力の関係を示すグラフである。
【図１２】第２の実施形態にかかる被曝低減Ｘ線照射モードにおけるガントリ角度と重みの関係を示すグラフである。
【符号の説明】
２０        走査ガントリ
２１        Ｘ線管
２２        Ｘ線コントローラ
２４        検出器
２６        回転コントローラ
１００      Ｘ線ＣＴ装置
【図１】
2004321587.tif 000003
【図２】
2004321587.tif 000004
【図３】
2004321587.tif 000005
【図４】
2004321587.tif 000006
【図５】
2004321587.tif 000007
【図６】
2004321587.tif 000008
【図７】
2004321587.tif 000009
【図８】
2004321587.tif 000010
【図９】
2004321587.tif 000011
【図１０】
2004321587.tif 000012
【図１１】
2004321587.tif 000013
【図１２】
2004321587.tif 000014